(57)【要約】      （修正有）【課題】表示領域の拡張性、又はディスプレイを折り畳んだときの携帯性に優れたフォルダブルディスプレイ装置を提供する。【解決手段】フォルダブルディスプレイ装置１００は、フォルディング領域を中心に第１表示領域と第２表示領域に区分されたディスプレイパネル１１０の背面を支持するミッドフレーム１２０と、フォルディング領域の角度を制御するヒンジ部１３０と、第１表示領域の背面に結合される中間ケース１５０及び下部ケース１６０と、ディスプレイパネルの上面の縁部領域と第２表示領域の背面を支持する上部ケース１４０とを含み、デュアルモード、拡張モード及びピボットモードのいずれかに選択的にフォルディングされる。【選択図】図４
2020086462.tif 000002
【特許請求の範囲】
【請求項１】
一つの表示領域がフォルディング領域を中心に第１表示領域と第２表示領域にフォルディングされるディスプレイパネルと、
前記ディスプレイパネルの背面を支持するミッドフレームと、
前記ミッドフレームの背面に前記フォルディング領域に対応するように結合されるヒンジ部と、を含み、
前記ディスプレイパネルは、前記第１表示領域と前記第２表示領域が並んで配置される拡張モード、前記第１表示領域と前記第２表示領域の各背面が互いに向き合うようにフォルディングされるデュアルモード及び前記第１表示領域と前記第２表示領域の上面が互いに少なくとも鋭角又は鈍角を成すようにフォルディングされるピボットモードのいずれか一つのモードに選択的にフォルディングされる、フォルダブルディスプレイ装置。
【請求項２】
前記ディスプレイパネルの上面の少なくとも向き合う２辺縁をカバーする上部ケースをさらに含む、請求項１に記載のフォルダブルディスプレイ装置。
【請求項３】
前記上部ケースは、
前記第１表示領域と前記第２表示領域を連結する２つの辺縁に沿ってそれぞれ配置され、前記ディスプレイパネル又は前記ミッドフレームと結合される第１フレーム及び第２フレームと、
前記第１フレームと前記第２フレームの一端部を連結し、前記ミッドフレームの背面上の前記第２表示領域の背面端部に対応するように配置される第３フレームと、
前記第１フレームと前記第２フレームを互いに連結し、前記第２表示領域の背面に対応するように配置される一つ又は複数の支持部材と、を含む、請求項２に記載のフォルダブルディスプレイ装置。
【請求項４】
前記上部ケースは、
前記第１フレーム及び前記第２フレーム上の前記フォルディング領域の各々に配置される軟性フレームと、
前記軟性フレームの背面に結合され、前記軟性フレームの長手方向に引張応力を提供する引張スプリングと、を含む、請求項３に記載のフォルダブルディスプレイ装置。
【請求項５】
前記第１フレームと前記第２フレームの他端部のそれぞれは曲面に折り曲げられたフックフレームを含み、
前記ディスプレイパネルと前記ミッドフレームの縁部曲面に対応して前記フックフレームの曲面が結合される、請求項３に記載のフォルダブルディスプレイ装置。
【請求項６】
前記ミッドフレームの背面に前記第１表示領域に対応するように配置され、内部に制御モジュールが収納され、一側面が前記ヒンジ部と結合され、前記フックフレームの曲面に沿って他側面に前記ディスプレイパネル及び前記ミッドフレームが取り囲まれるように配置される中間ケースをさらに含む、請求項５に記載のフォルダブルディスプレイ装置。
【請求項７】
前記中間ケースの他側面に取り囲まれる前記ディスプレイパネル及び前記ミッドフレームの一部及び前記中間ケースの背面をカバーする下部ケースをさらに含む、請求項６に記載のフォルダブルディスプレイ装置。
【請求項８】
前記下部ケースは、デュアルモードにフォルディングされるとき、前記第２表示領域が前記下部ケースの外面に固定されるように形成された固定溝と、前記支持部材が挿入されるように形成された挿入溝とを含む、請求項７に記載のフォルダブルディスプレイ装置。
【請求項９】
前記固定溝は、前記第３フレームが挿入されて固定される、請求項８に記載のフォルダブルディスプレイ装置。
【請求項１０】
一つの表示領域がフォルディング領域を中心に第１表示領域と第２表示領域にフォルディングされるディスプレイパネルと、
前記ディスプレイパネルの上面の少なくとも向き合う２辺縁をカバーする上部ケースと、
前記ディスプレイパネルの背面にフォルディング領域に対応するように結合されるヒンジ部と、を含み、
前記ディスプレイパネルは、前記第１表示領域と前記第２表示領域が並んで配置される拡張モード、前記第１表示領域と前記第２表示領域の各背面が互いに向き合うようにフォルディングされるデュアルモード及び前記第１表示領域と前記第２表示領域の上面が互いに少なくとも鋭角又は鈍角を成すようにフォルディングされるピボットモードのいずれか一つのモードに選択的にフォルディングされる、フォルダブルディスプレイ装置。
【発明の詳細な説明】
【技術分野】
【０００１】
本発明はディスプレイパネルを折り畳んだり広げたりして使うことができるフォルダブルディスプレイ装置に関する。
【背景技術】
【０００２】
画像を表示する表示装置は、液晶表示装置（ＬＣＤ）、プラズマ表示装置（ＰＤＰ）、有機発光電界表示装置（ＯＬＥＤ）、電気泳動表示装置（ＥＰＤ）などの多様な種類がある。
【０００３】
近年、多様なアプリケーションに活用可能な、曲げてから広げるか又は折り畳んでから広げることができるフォルダブルディスプレイ装置に関する研究が活発に行われている。
【０００４】
フォルダブルディスプレイ装置は平面表示パネルを連結する形態に具現するか、ディスプレイパネル自体が可撓性を有するフレキシブルディスプレイパネルを用いて具現することができる。
【０００５】
フレキシブルディスプレイパネルはパネル自体が可撓性を持っているから、多様な形状に巻くか折り畳むことができる。ディスプレイ装置に具現するにあたり、フレキシブルディスプレイパネルを保護するためのケースと内部の他の構成部品も必要である。よって、ディスプレイ装置全体が任意の形状に変形可能なフレキシブルディスプレイ装置を具現するのには多くの課題が残っている。
【０００６】
一方、フォルダブルディスプレイ装置は相対的に単純に折り畳まれるか広がることができる機械的な構造のみで具現することができる。フォルダブルディスプレイ装置を具現するためには、フレキシブルディスプレイパネル、及びフレキシブルディスプレイパネルが設定の形状又はフォルディングされた角度を維持するハウジング及びヒンジ構造が必要である。
【０００７】
しかし、このようなフォルダブルディスプレイはヒンジを中心に単純にパネルがフォルディング可能な構造を提示するだけで、表示領域の拡張性、又はディスプレイを折り畳んだときの携帯性などの観点では依然として解決されない問題点がある。
【発明の概要】
【０００８】
本発明はディスプレイパネルをデュアルモード（両面ディスプレイ）にフォルディングすることができ、再び広げてディスプレイ領域を拡大する拡張モードへのアンフォルディングが可能であり、拡張モードからディスプレイパネルの一部がフォルディングされてラップトップのようにピボットモードにフォルディングされるフォルダブルディスプレイ装置を提供することに目的がある。
【０００９】
このような課題を解決するために、本発明は、フォルディング領域を中心に第１表示領域と第２表示領域に区分されたディスプレイパネルの背面を支持するミッドフレームと、フォルディング領域の角度を制御するヒンジ部と、第１表示領域の背面に結合される中間ケース及び下部ケースと、ディスプレイパネルの上面の縁部領域と第２表示領域の背面を支持する上部ケースとを含み、デュアルモード、拡張モード及びピボットモードのいずれかに選択的にフォルディングされることができるフォルダブルディスプレイ装置を提供する。
【００１０】
本発明によるフォルダブルディスプレイ装置によれば、
第一に、デュアルモード、拡張モード及びピボットモードのいずれか一つに選択的なフォルディングが可能であり、
第二に、フォルディング領域を中心に第２表示領域がデュアルモードから拡張モードに容易に変更されることができ、
第三に、第１表示領域の背面領域のみに制御モジュール、バッテリー、ヒンジ部のような嵩を有する構成部が備えられるから、相対的にディスプレイ装置の体積及び厚さが増加しなく、
第四に、第２表示領域の背面に支持部材が配置されるから、使用者がディスプレイパネルをタッチするような外力によって第２表示領域が易しく変形されるかあるいはディスプレイパネルが反対方向にフォルディングされることを防止することができる効果がある。
【図面の簡単な説明】
【００１１】
【図１】本発明の実施例によるフォルダブルディスプレイ装置がデュアルモードにフォルディングされた状態を示す斜視図である。
【図２】図１に示したフォルダブルディスプレイ装置が拡張モードに転換された状態を示す斜視図である。
【図３】図１に示したフォルダブルディスプレイ装置がピボットモードにフォルディングされた状態を示す斜視図である。
【図４】図２に示したフォルダブルディスプレイ装置の内部構成を分離して示す結合斜視図である。
【図５】図２に示したフォルダブルディスプレイ装置を背面方向から示す斜視図である。
【図６Ａ】図４に示したフォルダブルディスプレイ装置の上部ケースがデュアルモードにフォルディングされた状態を示すとともに部分的に拡大する部分拡大図である。
【図６Ｂ】図４に示したフォルダブルディスプレイ装置の上部ケースがデュアルモードにフォルディングされた状態を示すとともに部分的に拡大する部分拡大図である。
【図６Ｃ】図４に示したフォルダブルディスプレイ装置の上部ケースがデュアルモードにフォルディングされた状態を示すとともに部分的に拡大する部分拡大図である。
【図７】図１に示したフォルダブルディスプレイ装置のデュアルモードでの両側断面（Ａ−Ａ’）を部分的に示す部分断面図である。
【図８】図２に示したフォルダブルディスプレイ装置の拡張モードでの両側断面（Ｂ−Ｂ’）を部分的に示す部分断面図である。
【図９】図３に示したフォルダブルディスプレイ装置のピボットモードでの一側フォルディング領域の断面（Ｃ−Ｃ’）を部分的に示す部分断面図である。
【図１０】図４に示したフォルダブルディスプレイ装置のミッドフレームを部分的に拡大して示す平面図である。
【発明を実施するための形態】
【００１２】
以下、本発明の好適な実施例を添付図面に基づいて当該分野の通常の知識を有する者が容易に実施することができるように説明する。添付図面において、構成に表記する図面符号において、他の図面にも同じ構成を表記するときには、できるだけ同じ図面符号を使うことに留意しなければならない。また、本発明の説明において、関連した公知の機能又は公知の構成についての具体的な説明が本発明の要旨を不必要にあいまいにする可能性があると判断される場合には、その詳細な説明を省略する。そして、図面に提示した特徴は説明の容易性のために拡大又は縮小又は単純化したものであり、図面及びその構成要素が必ずしも適切な比率で示されているものではない。しかし、当業者であれば、このような詳細事項を易しく理解することが可能であろう。
【００１３】
図１は本発明の実施例によるフォルダブルディスプレイ装置がデュアルモードにフォルディングされた状態を示す斜視図、図２は図１に示したフォルダブルディスプレイ装置が拡張モードにフォルディングされた状態を示す斜視図、図３は図１に示したフォルダブルディスプレイ装置がピボットモードにフォルディングされた状態を示す斜視図である。
【００１４】
図１〜図３を参照すると、本発明の実施例によるフォルダブルディスプレイ装置１００は、画像を表示するディスプレイパネル１１０と、ディスプレイパネル１１０の背面に結合されるミッドフレーム１２０と、ミッドフレーム１２０の背面のフォルディング領域に結合されるヒンジ部１３０と、ディスプレイパネル１１０の上面辺縁に備えられる上部ケース１４０とを含む。
【００１５】
まず、ディスプレイパネル１１０は、一つの全体表示領域がフォルディング領域を中心にフォルディングされて第１表示領域と第２表示領域に区分される。実質的にディスプレイパネル１１０がフォルディングされるにあたり、設定のライン上で正確に所定の角度に折り畳まれるものではなく、設定の曲率でヒンジ部１３０が段階的に又は順次にフォルディングされるから、フォルディング領域はヒンジ部１３０が位置する部分又はディスプレイパネル１１０が曲面に曲がる部分に定義することができる。
【００１６】
ディスプレイパネル１１０は、パネル全体がプラスチック素材からなってパネル自体が曲がるかフォルディングされることができるフレキシブルディスプレイパネルであってもよく、パネル自体が平板状態で外力によってあまり変形しないリジッド（ｒｉｇｉｄ）な平面表示パネルであってもよい。
【００１７】
ディスプレイパネル１１０自体が可撓性を有するフレキシブルディスプレイパネルは、有機発光電界ディスプレイ（ＯＬＥＤ）、電気泳動ディスプレイ（ｅｌｅｃｔｒｏｐｈｏｒｅｔｉｃ  ｄｉｓｐｌａｙ）、又はエレクトロクロミックディスプレイ（ｅｌｅｃｔｒｏｃｈｒｏｍｉｃ  ｄｉｓｐｌａｙ、ＥＣＤ）などから具現されることができる。
【００１８】
平板状のディスプレイパネル１１０を用いてフォルダブルディスプレイパネルを形成する方式としては、複数の平面表示パネルを物理的にフォルディング可能に連結する方式と、単一平面表示パネルの内部に可撓性によって折り畳まれることができる領域を別に形成する方式とを適用することができる。ここで、平面表示パネルは、液晶表示装置（ＬＣＤ）、プラズマ表示装置（ＰＤＰ）などから構成されることができる。複数の平面表示パネルを物理的にフォルディング可能に連結したフォルダブルディスプレイパネルは、個別ディスプレイパネルごとに別個の回路部が連結されることもできる。
【００１９】
ディスプレイパネル１１０は、画像が表示される表示領域（Ａｃｔｉｖｅ  ａｒｅａ）と、表示領域の縁部に位置して画像が表示されない非表示領域（Ｎｏｔ  Ａｃｔｉｖｅ  ａｒｅａ）とを含む。非表示領域には、信号線の延長線と、延長線と回路部が連結されるボンディング領域が備えられることができる。回路部はディスプレイパネルを駆動するための電気的信号を印加するためのものであり、回路パターンが備えられた基板と、前記基板に実装された集積回路チップ（ＩＣチップ）とを含む。基板は、集積回路が実装されるメイン基板と、前記メイン基板とディスプレイパネルを連結する連結基板とを含む。メイン基板は配線パターンが単層又は多層に備えられたものであり、そのものが曲がるか折り畳まれることが難しい形態である硬質のプリント回路基板（Ｐｒｉｎｔｅｄ  Ｃｉｒｃｕｉｔ  Ｂｏａｒｄ、ＰＣＢ）が適用されるか、可撓性を有するフレキシブルプリント回路基板（Ｆｌｅｘｉｂｌｅ  Ｐｒｉｎｔｅｄ  Ｃｉｒｃｕｉｔ  Ｂｏａｒｄ、ＦＰＣＢ）が適用されることができる。連結基板は配線パターンが単層又は多層に備えられたものであり、それ自体が曲がるか折り畳まれることができる形態であることが好ましい。連結基板としてはＦＰＣ（Ｆｌｅｘｉｂｌｅ  Ｐｒｉｎｔｅｄ  Ｃｉｒｃｕｉｔ）が適用されることができ、フィルムにチップが実装されたＣＯＦ（Ｃｈｉｐ  Ｏｎ  Ｆｉｌｍ）が適用されることもできる。
【００２０】
このようなディスプレイパネル１１０は、上面縁部に沿って非表示領域が配置され、非表示領域の内側に画像が表示される表示領域が備えられる。そして、本発明のフォルダブルディスプレイ装置１００は、表示領域が外部で互いに反対に向かうように折り畳まれるアウターフォルディングタイプと、表示領域が内部で互いに向き合うように折り畳まれるインナーフォルディングタイプのいずれも可能である。そして、本発明によるディスプレイパネル１１０の上面にはこれを保護する保護フィルム又は多様な光学シートなどが追加的に備えられることができ、基本的に基礎素材（ｂａｓｅ  ｆｉｌｍ）にバリアコーティングが両面に施された構造を有することができる。基礎素材は、ＰＩ（Ｐｏｌｙｉｍｉｄｅ）、ＰＣ（Ｐｏｌｙｃａｒｂｏｎａｔｅ）、ＰＥＴ（Ｐｏｌｙｅｔｈｙｌｅｎｅ  ｔｅｒｅｐｈｔａｌａｔｅ）、ＰＥＳ（Ｐｏｌｙｅｔｈｅｒ  ｓｕｌｆｏｎｅ）、ＰＥＮ（Ｐｏｌｙｅｔｈｙｌｅｎｅ  ｎａｐｈｔｈａｌａｔｅ）、ＦＲＰ（Ｆｉｂｅｒ  Ｒｅｉｎｆｏｒｃｅｄ  Ｐｌａｓｔｉｃ）などの多様な樹脂から具現されることができる。そして、バリアコーティングは基礎素材の互いに対向する面に施され、柔軟性を維持するために有機膜又は無機膜を用いることができる。
【００２１】
また、本発明によるフォルダブルディスプレイ装置１００は、フォルディング領域１１３を中心に第１表示領域１１１と第２表示領域１１２が相対的にフォルディングされることができ、図１のように第１表示領域１１１と第２表示領域１１２が互いに反対方向に映像を具現するデュアルモード（Ｄｕａｌ  ｍｏｄｅ、両面モード）、図２のように第１表示領域１１１と第２表示領域１１２が並んで配置される拡張モード（Ｅｘｐａｎｄｅｄ  ｍｏｄｅ）、及び図３のように第１表示領域と第２表示領域が互いに所定の角度にフォルディングされるピボットモード（Ｐｉｖｏｔ  ｍｏｄｅ）のいずれか一つに具現することができる。ここで、ピボットモードは第１表示領域と第２表示領域の上面が互いに鋭角にフォルディングされるか、鈍角にフォルディングされるか、直角にフォルディングされることができる。
【００２２】
図４は図２に示したフォルダブルディスプレイ装置の内部構成を分離して示す結合斜視図、図５は図２に示したフォルダブルディスプレイ装置を背面方向から示す斜視図である。
【００２３】
図４及び図５を参照すると、本発明の実施例によるフォルダブルディスプレイ装置１００は、ディスプレイパネル１１０と、ミッドフレーム１２０と、ヒンジ部１３０と、上部ケース１４０と、中間ケース１５０と、下部ケース１６０とを含む。
【００２４】
ここで、ミッドフレーム１２０はディスプレイパネル１１０の背面に結合されてディスプレイパネル１１０の背面を支持する。ミッドフレーム１２０は、第１表示領域１１１と第２表示領域１１２に対応する部分は薄い平面メタルプレート状に形成され、第１表示領域１１１と第２表示領域１１２が曲がることを防止する。また、第１表示領域１１１と第２表示領域１１２間のフォルディング領域１１３に対応し、ミッドフレーム１２０には複数の穿孔パターン１２１が形成され、ディスプレイパネル１１０がフォルディングされると同時にフォルディングされる。
【００２５】
また、ヒンジ部１３０は複数のヒンジ又はリンクが連結された構造によって設定の曲率に段階的に又は順次に回転しながらディスプレイパネル１１０のフォルディング領域１１３をフォルディングさせる。もちろん、ヒンジ部１３０は複数が備えられることができる。ヒンジ部１３０が複数備えられる場合、複数のフォルディング領域１１３を中心に表示領域が三つ以上に区分されることができる。また、複数のフォルディング領域１１３が備えられる場合、各フォルディング領域１１３は互いに異なる方向にもフォルディングされることができる。ヒンジ部１３０はフォルディング領域１１３で各ヒンジ部１３０の構成（単位ヒンジ又はリンク節）どうし相対的に回転する。ここで、ヒンジ部１３０のフォルディング過程でディスプレイパネル１１０は押圧されて設定の曲率で回転しながらフォルディングされる。
【００２６】
そして、上部ケース１４０はディスプレイパネル１１０の上面で第１表示領域１１１と第２表示領域１１２の辺縁を互いに連結するように結合される。
【００２７】
上部ケース１４０は、第１表示領域１１１と第２表示領域１１２を連結する辺縁に互いに向き合うように配置される第１フレーム１４１及び第２フレーム１４２と、第１フレーム１４１の一端部と第２フレーム１４２の一端部を連結する第３フレーム１４３と、第２表示領域１１２に対応して第１フレーム１４１と第２フレーム１４２を連結する複数の支持部材１４４と、第１フレーム１４１及び第２フレーム１４２のそれぞれの上のフォルディング領域１１３に位置する軟性フレーム１４５と、軟性フレーム１４５の背面に結合される引張スプリング１４７とを含む。
【００２８】
第１フレーム１４１と第２フレーム１４２は、図４のように、ディスプレイパネル１１０の第１表示領域１１１及び第２表示領域１１２の上部側面と下部側面を連結するように配置される。第１フレーム１４１の一側端部と第２フレーム１４２の一側端部には第３フレーム１４３が備えられ、第３フレーム１４３は後述する下部ケース１６０にフォルディングモードによって選択的に結合される。
【００２９】
第１フレーム１４１と第２フレーム１４２はディスプレイパネル１１０の上面辺縁に露出されるように配置され、ディスプレイパネル１１０の上面より突出しないようにディスプレイパネル１１０の縁部に段差部を備えることによって結合されることができる。
【００３０】
ここで、第３フレーム１４３と支持部材１４４は第１フレーム１４１と第２フレーム１４２の背面に結合され、ディスプレイパネル１１０又はミッドフレーム１２０の背面又は側面に配置される。また、第３フレーム１４３の内部には弾性復元力を提供する支持部材１４４が含まれることができる。
【００３１】
支持部材１４４はミッドフレーム１２０とともにディスプレイパネル１１０の第２表示領域１１２の背面を支持する。ここで、ミッドフレーム１２０はディスプレイパネル１１０の背面に付着され、ディスプレイパネル１１０がその柔軟性によって曲がることを防止し、支持部材１４４はミッドフレーム１２０の背面に位置するか又はディスプレイパネル１１０とミッドフレーム１２０の間に位置することにより、第２表示領域１１２とミッドフレーム１２０が外力によって押圧されれば再び元の位置に復帰し得る弾性力を提供する。このような支持部材１４４には、弾性を有するゴム紐、纎維、又は引張スプリングなどが適用されることができる。したがって、第１フレーム１４１及び第２フレーム１４２の背面がそれぞれ弾力的に連結するように結合され、ディスプレイパネル１１０の第２表示領域１１２の背面又はミッドフレーム１２０の背面に配置されることができる。
【００３２】
軟性フレーム１４５は第１フレーム１４１と第２フレーム１４２の中心部に位置し、この位置はフォルディング領域１１３の位置によって変動可能である。
【００３３】
第１フレーム１４１及び第２フレーム１４２の他端部にはフックフレーム１４６が備えられる。フックフレーム１４６は、第１フレーム１４１及び第２フレーム１４２の他端部のそれぞれが下側のディスプレイパネル１１０の方向に曲面状に折り曲げられることで、ディスプレイパネル１１０及びミッドフレーム１２０がフックフレーム１４６の曲面内部に沿って曲がった曲面ディスプレイ（エッジディスプレイ）に具現されることができる。もちろん、この部分で、ミッドフレーム１２０はフォルディングできるように穿孔パターンが備えられることができる。
【００３４】
ミッドフレーム１２０の背面には中間ケース１５０が結合される。中間ケース１５０は、内部にディスプレイパネル１１０の動作を制御する回路基板のような制御モジュール１５１、バッテリー１５２などが収納され、一側面にはヒンジ部１３０が結合される。したがって、ヒンジ部１３０と中間ケース１５０の高さが互いに同じに形成されることができる。また、他側面はフックフレーム１４６の曲面に沿ってディスプレイパネル１１０及びミッドフレーム１２０が取り囲まれるように曲面に形成される。したがって、エッジディスプレイに具現されるディスプレイパネル１１０の内部を支持する機能をする。
【００３５】
中間ケース１５０の背面には下部ケース１６０が備えられる。下部ケース１６０は、中間ケース１５０の他側曲面部に取り囲まれるディスプレイパネル１１０及びミッドフレーム１２０の一部及び中間ケース１５０の背面をカバーする。下部ケース１６０は、ディスプレイパネル１１０がデュアルモードにフォルディングされる場合、第２表示領域１１２を下部ケース１６０の外面に固定することができるように、固定溝１６１が形成される。また、下部ケース１６０の外面には、ミッドフレーム１２０の背面に配置される複数の支持部材１４４が挿入されるように、挿入溝１６２が形成される。したがって、第２表示領域１１２が下部ケース１６０の外面にデュアルモードにフォルディングされても、第３フレーム１４３又は支持部材１４４の干渉なしに平板状態で固定することができる効果がある。
【００３６】
図６ａは図４に示したフォルダブルディスプレイ装置の上部ケース１４０がデュアルモードにフォルディングされた状態を示すとともに部分的に拡大する部分拡大図、図６ｂは図４に示した上部ケース１４０が拡張モードに広げられた状態を示す部分拡大図、図６ｃは図４に示した上部ケース１４０がピボットモードにフォルディングされた状態を示す部分拡大図である。
【００３７】
図６を参照すると、第１フレーム１４１と第２フレーム１４２のそれぞれの中心には軟性フレーム１４５が配置される。軟性フレーム１４５は第１フレーム１４１及び第２フレーム１４２と二重射出によって一体に構成されることができる。このような軟性フレーム１４５はプラスチック又はシリコンのような軟性素材からなり、フォルディング過程でスムーズに曲がる対応が可能である。
【００３８】
ここで、軟性フレーム１４５の背面には引張スプリング１４７が備えられる。引張スプリング１４７は軟性フレーム１４５の長手方向に引張力又は圧縮力を提供することにより、上部ケース１４０がフォルディング領域１１３で真っ直ぐに広げられた状態を維持させる。引張スプリング１４７は軟性フレーム１４５の背面だけではなく、軟性フレーム１４５を除いた第１フレーム１４１及び第２フレーム１４２にも一部結合される。そして、第１フレーム１４１及び第２フレーム１４２の背面には引張スプリング１４７を結合させる結合部材１４８が備えられる。結合部材１４８は引張スプリング１４７の外周面の少なくとも一部を取り囲むように一側断面が略‘Ｃ’字形に形成され、引張スプリング１４７が締まりばめ方式で結合されることができる。
【００３９】
図７は図１に示したフォルダブルディスプレイ装置のデュアルモードでの両側断面（Ａ−Ａ’）を部分的に示す部分断面図である。
【００４０】
図７を参照すると、デュアルモードで第１表示領域１１１と第２表示領域１１２は互いに反対方向に映像を具現することができる。例えば、互いに対座した子供達に各年齢帯に合うそれぞれの映像を駆動させることができ、同じ映像を対座して視聴することもできる。
【００４１】
図７のディスプレイパネル１１０の上面は第１表示領域１１１を、下面は第２表示領域１１２を示し、右側端部はヒンジ部１３０のエッジ部にフォルディングされた状態を示す。また、ディスプレイパネル１１０の左側端部は右側端部と同じ曲率でフォルディングされることができる。ここで、中心部の太い破断線を基準に、ディスプレイ装置の左側一部と右側一部を示している。
【００４２】
第２表示領域１１２の端部では第３フレーム１４３が下部ケース１６０の固定溝１６１に挿入されて固定されることにより、第１表示領域１１１と第２表示領域１１２が互いに反対方向に向かうように維持される。もちろん、図面に示されてはいないが、固定溝１６１と第３フレーム１４３が結合される位置は左側端部の曲面部分に移動することができる。
【００４３】
図８は図２に示したフォルダブルディスプレイ装置の拡張モードでの両側断面（Ｂ−Ｂ’）を部分的に示す部分断面図である。
【００４４】
図８を参照すると、ディスプレイパネル１１０のフォルディング領域１１３を広げれば拡張モードに具現することができる。このように第１表示領域１１１と第２表示領域１１２が並んで単一表示領域に具現されることにより、大きな画面で映像を具現することができる効果がある。
【００４５】
ここで、第３フレーム１４３を固定溝１６１から分離すれば、第２表示領域１１２は軟性フレーム１４５及び引張スプリング１４７によって拡張モードに自動で広げられることができる。第１表示領域１１１の背面のみに制御モジュール１５１、バッテリー１５２、ヒンジ部１３０などが配置されるから、第２表示領域１１２の背面は小さな厚さになってより容易に広げられることができる。
【００４６】
図９は図３に示したフォルダブルディスプレイ装置のピボットモードでの一側フォルディング領域の断面（Ｃ−Ｃ’）を部分的に示す部分断面図である。
【００４７】
図９を参照すると、ピボットモードではフォルディング領域１１３に対応してヒンジ部１３０がフォルディングされる。
【００４８】
すなわち、デュアルモードでは、ディスプレイパネル１１０の第２表示領域１１２がヒンジ部１３０の端部に沿って折り畳まれて（アウターフォルディングタイプ）下部ケース１６０の背面に固定され、ピボットモードでは、ヒンジ部１３０がフォルディングされてフォルディング領域１１３のディスプレイパネル１１０がフォルディングされる構造を有する。もちろん、図面に示されてはいないが、ヒンジ部１３０が完全にフォルディングされてインナーフォルディングタイプに折り畳まれることもできる。
【００４９】
本発明によるフォルダブルディスプレイ装置１００によれば、第一に、デュアルモード、拡張モード及びピボットモードのいずれかに選択的にフォルディングされることができ、第二に、フォルディング領域１１３を中心に第２表示領域１１２がデュアルモードから拡張モードに容易に変更されることができ、第三に、第１表示領域１１１の背面領域のみに制御モジュール１５１、バッテリー１５２、ヒンジ部１３０のような嵩を有する構成が備えられるから、相対的にフォルダブルディスプレイ装置１００の体積及び厚さが増加しなく、第四に、第２表示領域１１２の背面に支持部材１４４が配置されるから、使用者がディスプレイパネル１１０をタッチするような外力によって第２表示領域１１２が易しく変形されるか又はディスプレイパネル１１０が反対方向にフォルディングされることを防止することができる効果がある。
【００５０】
図１０は図４に示したフォルダブルディスプレイ装置のミッドフレームを部分的に拡大して示す平面図である。
【００５１】
図１０を参照すると、本実施例によるミッドフレーム１２０は薄いメタル素材の板材からなり、フォルディング領域１１３に対応して複数の穿孔パターン１２１が形成される。また、穿孔パターン１２１はヒンジ部１３０の位置に重畳するように配置される。
【００５２】
ミッドフレーム１２０は、穿孔パターン１２１の各ホールどうし連結する連結部材１２３を含む。本実施例で、連結部材１２３はミッドフレーム１２０に穿孔パターン１２１が形成された後に残った部分であってもよい。穿孔パターン１２１は、例えばパンチング工程によって形成されることができる。
【００５３】
また、連結部材１２３はミッドフレーム１２０と別個の構成に形成されることもできる。ここで、連結部材１２３はデュアルモード又はピボットモードで伸縮性を有する素材からなることができる。また、連結部材１２３は拡張モード状態で縮まった状態になることができる。したがって、連結部材１２３はフォルディング過程で穿孔パターン１２１の各ホールの間で伸長するか拡張することができる。穿孔パターン１２１の各ホールの形状は長孔形又はスリット形に形成されることができる。
【００５４】
以上で、本発明の技術的思想を例示するために、具体的な実施例を添付図面に基づいて説明したが、本発明は前記のような具体的な実施例と同一の構成及び作用効果のみに限られず、様々な変形例が本発明の範囲を逸脱しない範疇内で実施可能である。したがって、そのような変形例も本発明の範囲に属するものと見なさなければならなく、本発明の真正な技術的保護範囲は後述する特許請求範囲の技術的思想によって決定されなければならない。
【符号の説明】
【００５５】
１００    フォルダブルディスプレイ装置
１１０    ディスプレイパネル
１２０    ミッドフレーム
１３０    ヒンジ部
１４０    上部ケース
１５０    中間ケース
１６０    下部ケース
【図１】
2020086462.tif 000003
【図２】
2020086462.tif 000004
【図３】
2020086462.tif 000005
【図４】
2020086462.tif 000006
【図５】
2020086462.tif 000007
【図６Ａ】
2020086462.tif 000008
【図６Ｂ】
2020086462.tif 000009
【図６Ｃ】
2020086462.tif 000010
【図７】
2020086462.tif 000011
【図８】
2020086462.tif 000012
【図９】
2020086462.tif 000013
【図１０】
2020086462.tif 000014